【手続補正書】
【提出日】平成23年9月29日(2011.9.29)
【手続補正１】
【補正対象書類名】明細書
【補正対象項目名】００５９
【補正方法】変更
【補正の内容】
【００５９】
例えば半導体レーザは、ポイントＰＴ１において緩和振動の第１波による光子密度Ｓが約３×１０１６であり、通常電圧ＶＮを印加した場合を示すポイントＰＴ３の場合（約１．２×１０１５）と比して、半導体レーザ３の光強度を２０倍以上に増大させることが可能となる。
【手続補正２】
【補正対象書類名】明細書
【補正対象項目名】００７７
【補正方法】変更
【補正の内容】
【００７７】
また光測定装置１１は、レーザ光ＬＬを光スペクトラムアナライザ１７（株式会社エーディーシー製、Ｑ８３４１）へ供給することにより、当該レーザ光ＬＬの波長を分析し、その分布特性を波長特性ＵＷ（後述する）として示すようになされている。
【手続補正３】
【補正対象書類名】明細書
【補正対象項目名】００８１
【補正方法】変更
【補正の内容】
【００８１】
そこで、パルス信号発生器４に対し、図１２（Ａ）に示すように、パルス幅Ｗｓが１．２５［ｎｓ］でなる矩形状の設定パルスＰＬｓを含むパルス信号ＳＬを出力するよう設定した。このパルス信号ＳＬを所定の測定装置により測定したところ、図１２（Ｂ）に示すような測定結果が得られた。
【手続補正４】
【補正対象書類名】明細書
【補正対象項目名】００８２
【補正方法】変更
【補正の内容】
【００８２】
図１２（Ｂ）のパルス信号ＳＬにおいて、設定パルスＰＬｓに対応して生成されるパルス（以下、これを生成パルスＰＬと呼ぶ）の半値幅である生成パルス半値幅ＰＬｈａｌｆは、約１．５［ｎｓ］であった。
【手続補正５】
【補正対象書類名】明細書
【補正対象項目名】００８５
【補正方法】変更
【補正の内容】
【００８５】
このときの生成パルスＰＬの最大電圧値に対する駆動パルスＰＤにおける駆動パルス半値幅ＰＤｈａｌｆの関係、及び当該生成パルスＰＬの最大電圧値に対する駆動パルスＰＤの最大電圧値Ｖｍａｘの関係を、図１３に重ねて示す。
【手続補正６】
【補正対象書類名】明細書
【補正対象項目名】００９４
【補正方法】変更
【補正の内容】
【００９４】
光強度特性ＵＴ３、ＵＴ４、ＵＴ５及びＵＴ６は、先頭のピーク部分の後に大きなピークが表れていないことから、第１波に続いて第２波、第３波のピークを有する緩和振動モードによる光強度特性ＵＴ２（図１４（Ａ））と比較して、波形の傾向が明らかに異なっている。
【手続補正７】
【補正対象書類名】明細書
【補正対象項目名】０１２０
【補正方法】変更
【補正の内容】
【０１２０】
次に、光測定装置１１において短パルス光源装置１を特異モードで動作させ、レーザ光ＬＬ（すなわち特異出力光ＬＥ）の光強度特性ＵＴ１６及び波長特性ＵＷ１６を測定した。また、光測定装置１１にＢＰＦ１３を設置することによりレーザ光ＬＬにおける波長４０６±５［ｎｍ］の透過率を低下させるようにした状態で、同様に光強度特性ＵＴ１７及び波長特性ＵＷ１７を測定した。
【手続補正８】
【補正対象書類名】明細書
【補正対象項目名】０１４７
【補正方法】変更
【補正の内容】
【０１４７】
ここで、比較対象として半導体レーザ３の消費電力Ｐｄを算出する。消費電力Ｐｄは、周期ＴＳ、駆動回路６から供給されるレーザ駆動信号ＳＤにおけるパルス幅Ｔｄ、印加電圧Ｖｄ、供給される電流Ｉｄを用いると、次に示す(５)式により算出される。
【手続補正９】
【補正対象書類名】明細書
【補正対象項目名】０１５３
【補正方法】変更
【補正の内容】
【０１５３】
また図２４に各設定パターンＰＴＮとして示したように、周期ＴＳとしては例えば１００［μｓ］〜３．３［ｎｓ］程度の値を、パルス幅Ｔｇとしては例えば１００［ｎｓ］〜１．７［ｎｓ］程度の値を設定することが考えられる。
【手続補正１０】
【補正対象書類名】明細書
【補正対象項目名】０１６５
【補正方法】変更
【補正の内容】
【０１６５】
［１−５．動作及び効果］
以上の構成において、短パルス光源装置１におけるレーザ制御部２のパルス信号発生器４は、生成パルスＰＬを同期信号ＳＳにおける立ち上がりのエッジから遅延期間Ｔｐだけ遅延させるようパルス信号ＳＬを生成し（図２３）、これを駆動回路６へ供給する。
【手続補正１１】
【補正対象書類名】明細書
【補正対象項目名】０１６６
【補正方法】変更
【補正の内容】
【０１６６】
またパルス信号発生器４は、ゲートパルスＰＧを同期信号ＳＳにおける立ち上がりのエッジにあわせて立ち上げ、そのパルス幅Ｔｇを遅延期間Ｔｐよりも延長させる
【手続補正１２】
【補正対象書類名】明細書
【補正対象項目名】０１６９
【補正方法】変更
【補正の内容】
【０１６９】
特に短パルス光源装置１では、（４）式及び（５）式を用いて上述したように、全体の消費電力に対し駆動回路６による消費電力Ｐａの占める割合が大きい。このため短パルス光源装置１は、駆動回路６の消費電力Ｐａを低減することにより、全体の消費電力を効果的に低減することが可能となる。
【手続補正１３】
【補正対象書類名】明細書
【補正対象項目名】０１７１
【補正方法】変更
【補正の内容】
【０１７１】
いずれの組み合わせにおいても、パルス信号発生器４は、パルス信号ＳＬにおいて生成パルスＰＬが立ち上がる期間を含むようにゲート信号ＳＧのゲートパルスＰＧを立ち上げれば、電源回路５から駆動回路６へ必要な電力を必要なタイミングで供給させることができる。
【手続補正１４】
【補正対象書類名】明細書
【補正対象項目名】０１７４
【補正方法】変更
【補正の内容】
【０１７４】
かかる点を考慮して、パルス信号発生器４は、パルス信号ＳＬの生成パルスＰＬよりも遅延期間Ｔｐだけ早いタイミングでゲート信号ＳＧのゲートパルスＰＧを立ち上げる。
【手続補正１５】
【補正対象書類名】明細書
【補正対象項目名】０１７６
【補正方法】変更
【補正の内容】
【０１７６】
これを換言すれば、短パルス光源装置１は、電源回路５における動作開始からの待ち時間を短くすることができれば、これに応じて遅延期間Ｔｐを短くすることができ、さらにパルス幅Ｔｇを短くすることができる。この場合、短パルス光源装置１は、消費電力Ｐａをさらに低減させることができる。
【手続補正１６】
【補正対象書類名】明細書
【補正対象項目名】０１７７
【補正方法】変更
【補正の内容】
【０１７７】
例えば短パルス光源装置１は、電源回路５における動作開始からの待ち時間が無視できる程度に短い場合には、遅延期間Ｔｐを無くしパルス幅Ｔｇを生成パルスＰＬのパルス幅Ｔｕと同等に短縮することができる。
【手続補正１７】
【補正対象書類名】明細書
【補正対象項目名】０１８６
【補正方法】変更
【補正の内容】
【０１８６】
また光ディスク１００は、記録層１０１と基板１０２との間にサーボ層１０４が設けられている。サーボ層１０４には、サーボ用の案内溝が形成されており、具体的には、一般的なＢＤ−Ｒ（Recordable）ディスク等と同様のランド及びグルーブにより螺旋状のトラック（以下、これをサーボトラックと呼ぶ）ＫＳが形成されている。
【手続補正１８】
【補正対象書類名】明細書
【補正対象項目名】０１８７
【補正方法】変更
【補正の内容】
【０１８７】
このサーボトラックＫＳには、所定の記録単位ごとに一連の番号でなるアドレスが付されており、情報を記録又は再生する際にサーボ光ビームＬＳ（後述する）が照射されるべきサーボトラック（以下、これを目標サーボトラックＫＳＧと呼ぶ）を当該アドレスにより特定し得るようになされている。
【手続補正１９】
【補正対象書類名】明細書
【補正対象項目名】０１９２
【補正方法】変更
【補正の内容】
【０１９２】
また光ディスク装置１１０は、サーボ光ビームＬＳと情報光ビームＬＭとの光軸ＸＬを互いにほぼ一致させている。これにより光ディスク装置１１０は、情報光ビームＬＭの焦点ＦＭを、記録層１０１内における目標サーボトラックＫＳＧに対応した箇所に、すなわち目標サーボトラックＴＳＧを通りサーボ層１０４に垂直な法線上に位置させる。
【手続補正２０】
【補正対象書類名】明細書
【補正対象項目名】０１９３
【補正方法】変更
【補正の内容】
【０１９３】
この結果、光ディスク１００には、記録層１０１内における目標サーボトラックＫＳＧを通る法線上の目標とする位置（以下これを目標位置ＱＧと呼ぶ）に記録マークＲＭが形成される。
【手続補正２１】
【補正対象書類名】明細書
【補正対象項目名】０２０３
【補正方法】変更
【補正の内容】
【０２０３】
ところで光ディスク装置１１０では、回転する光ディスク１００において面ブレ等が発生する可能性があり、このときサーボ層１０４の目標サーボトラックＫＳＧと対物レンズ１１８によるサーボ光ビームＬＳの焦点との相対的な位置が変動する可能性がある。
【手続補正２２】
【補正対象書類名】明細書
【補正対象項目名】０２０６
【補正方法】変更
【補正の内容】
【０２０６】
因みにフォーカスエラー信号ＳＦＥは、サーボ光ビームＬＳのサーボ層１０４に対するフォーカス方向のずれ量を表す信号である。またトラッキングエラー信号ＳＴＥは、サーボ光ビームＬＳの目標とするサーボトラックＫＳ（すなわち目標サーボトラックＫＳＧ）に対するトラッキング方向のずれ量を表す信号である。
【手続補正２３】
【補正対象書類名】明細書
【補正対象項目名】０２０９
【補正方法】変更
【補正の内容】
【０２０９】
駆動制御部１１２は、このフォーカス制御及びトラッキング制御を行うことにより、対物レンズ１１８によって集光されるサーボ光ビームＬＳの焦点ＦＳを目標となるマーク層Ｙ（以下、これを目標マーク層ＹＧと呼ぶ）の目標サーボトラックＫＳＧに追従させる。
【手続補正２４】
【補正対象書類名】明細書
【補正対象項目名】０２１２
【補正方法】変更
【補正の内容】
【０２１２】
また光ピックアップ１１７は、光ディスク１００から情報を再生する場合、記録時と同様にサーボ光ビームＬＳの焦点ＦＳを目標サーボトラックＫＳＧに追従させると共に、比較的弱い情報光ビームＬＭを目標マーク層ＹＧの目標位置ＱＧへ照射する。
【手続補正２５】
【補正対象書類名】明細書
【補正対象項目名】０２２７
【補正方法】変更
【補正の内容】
【０２２７】
集光レンズ１４１は、サーボ反射光ビームＬＳｒを収束させ、シリンドリカルレンズ１４２により非点収差を持たせた上でフォトディテクタ１４３へ照射する。
【手続補正２６】
【補正対象書類名】明細書
【補正対象項目名】０２３１
【補正方法】変更
【補正の内容】
【０２３１】
また信号処理部１１３は、いわゆるプッシュプル法に基づいて焦点ＦＳと光ディスク１００のサーボ層１０４における目標サーボトラックＫＳＧとのずれ量を表すトラッキングエラー信号ＳＴＥを算出し、これを駆動制御部１１２へ供給する。
【手続補正２７】
【補正対象書類名】明細書
【補正対象項目名】０２３３
【補正方法】変更
【補正の内容】
【０２３３】
また駆動制御部１１２は、トラッキングエラー信号ＳＴＥを基にトラッキング駆動信号を生成し、当該トラッキング駆動信号を２軸アクチュエータ１１９へ供給する。かくして駆動制御部１１２は、サーボ光ビームＬＳが光ディスク１００のサーボ層１０４における目標サーボトラックＫＳＧに合焦するよう、対物レンズ１１８をフィードバック制御（すなわちトラッキング制御）する。
【手続補正２８】
【補正対象書類名】明細書
【補正対象項目名】０２３４
【補正方法】変更
【補正の内容】
【０２３４】
このようにサーボ光学系１３０は、サーボ光ビームＬＳを光ディスク１００のサーボ層１０４に照射し、その反射光であるサーボ反射光ビームＬＳｒの受光結果を信号処理部１１３へ供給するようになされている。これに応じて駆動制御部１１２は、当該サーボ光ビームＬＳを当該サーボ層１０４の目標サーボトラックＫＳＧに合焦させるよう、対物レンズ１１８のフォーカス制御及びトラッキング制御を行うようになされている。
【手続補正２９】
【補正対象書類名】明細書
【補正対象項目名】０２５２
【補正方法】変更
【補正の内容】
【０２５２】
ピンホール板１６１は、マルチレンズ１６０により集光される情報反射光ビームＬＭｒの焦点を孔部１６１Ｈ内に位置させるよう配置されており、当該情報反射光ビームＬＭｒをそのまま通過させる。一方ピンホール板１６１は、焦点が孔部１６１Ｈ内に形成されなかった光、すなわち光ディスク１００内における目標位置ＱＧ以外の箇所において反射された光（いわゆる迷光）等については、遮断する。
【手続補正３０】
【補正対象書類名】明細書
【補正対象項目名】０２５６
【補正方法】変更
【補正の内容】
【０２５６】
［２−３．短パルス光源部の構成］
次に、短パルス光源部１２０について説明する。図１と対応する図３１に示すように、短パルス光源部１２０は、第１の実施の形態における短パルス光源装置１と比較して、パルス信号発生器４に相当するパルス信号発生部１２１が外部に設けられている点が大きく相違している。
【手続補正３１】
【補正対象書類名】明細書
【補正対象項目名】０２９６
【補正方法】変更
【補正の内容】
【０２９６】
この結果、半導体レーザ３は、電源回路１２５から供給される電流が極めて短い時間に渡ってパルス状に流れ、パルス状に情報光ビームＬＭを出射することができる。
【手続補正３２】
【補正対象書類名】明細書
【補正対象項目名】０３００
【補正方法】変更
【補正の内容】
【０３００】
［２−４．動作及び効果］
以上の構成において、光ディスク装置１１０のレーザ制御部１２２は、パルス信号発生部１２１から周期ＴＳでなる同期信号ＳＳと、当該同期信号ＳＳにおける立ち上がりエッジに同期した生成パルスＰＬが含まれるパルス信号ＳＬとの供給を受ける。
【手続補正３３】
【補正対象書類名】明細書
【補正対象項目名】０３２０
【補正方法】変更
【補正の内容】
【０３２０】
さらに上述した第１及び第２の実施の形態においては、半導体レーザ３から出射されるレーザ光ＬＬ（情報光ビームＬＭ）の波長を４０４［ｎｍ］とした場合について述べた。しかしながら本発明はこれに限らず、当該レーザ光ＬＬを他の波長とするようにしても良く、例えば３９０〜４６０［ｎｍ］の範囲とすることが考えられる。特に第２の実施の形態の場合、光ディスク１００における記録層１０１の構成材料等を適切に選定することにより、当該記録層１０１内における目標位置ＱＧの近傍に記録マークＲＭを適切に形成できれば良い。
【手続補正３４】
【補正対象書類名】明細書
【補正対象項目名】０３３６
【補正方法】変更
【補正の内容】
【０３３６】
１……短パルス光源装置、２、１２２……レーザ制御部、３……半導体レーザ、４……パルス信号発生器、５、１２５……電源回路、６、１２６……駆動回路、１００……光ディスク、１１０……光ディスク装置、１１１……制御部、１１２……駆動制御部、１１３……信号処理部、１１７……光ピックアップ、１１８……対物レンズ、１２０……短パルス光源部、１２１……パルス信号発生部、１２３……ＰＬＬ、１２４……ゲート信号生成回路、ＬＬ……レーザ光、ＬＢ……振動出力光、ＬＥ……特異出力光、ＥＰＫ……特異ピーク、ＥＳＬ……特異スロープ、ＳＳ……同期信号、ＳＬ……パルス信号、ＳＤ……レーザ駆動信号、ＰＬ……生成パルス、ＰＤ……駆動パルス、ＴＳ……周期、Ｔｇ……パルス幅、Ｔｇ１……前側パルス幅、Ｔｇ２……後側パルス幅、Ｔｐ……遅延期間、ＲＭ……記録マーク。
【手続補正３５】
【補正対象書類名】図面
【補正対象項目名】図２５
【補正方法】変更
【補正の内容】
【図２５】
2010092946.tif 000001